(57)【要約】  それぞれのデータ信号を受け取るためのＵＳＢＴＸＰ入力およびＵＳＢＴＸＭ入力と、それぞれのデータ信号を、それぞれＵＳＢＰ線およびＵＳＢＭ線に印加するためのＵＳＢＰドライバ（６）およびＵＳＢＭドライバ（７）を含むユニバーサル・シリアル・バス送信機。送信機は、送信信号（ＵＳＢＴＸＩＰ）の前縁を定義するためにＵＳＢＰおよびＵＳＢＭ入力の一方での信号のアサート・エッジに応答し、前記送信信号（ＵＳＢＴＸＩＰ）の後続する後縁を定義するためにＵＳＢＰおよびＵＳＢＭ入力の他方での信号のアサート停止エッジに応答する送信信号発生器（８）を含む。これは入力信号ＵＳＢＴＸＰおよびＵＳＢＴＸＭのデューティ・サイクルが５０％から大幅に異なる場合でも、連続するクロスオーバ点の受容できないジッタを生じさせることもなく、クロスオーバ点の電圧レベルがＵＳＢＰおよびＵＳＢＭ信号の電圧振幅の５０％を中心とするＵＳＢ許容値の範囲を超えさせることもない。
2007538303.tif 000002
【特許請求の範囲】
【請求項１】
それぞれのデータ信号を受信するためのＵＳＢＴＸＰ入力およびＵＳＢＴＸＭ入力と、送信信号（ＵＳＢＴＸＩＰ）を発生するために前記ＵＳＢＴＸＰおよびＵＳＢＴＸＭ入力に応答する送信信号発生器（８）と、それぞれのデータ信号をＵＳＢＰ線およびＵＳＢＭ線にそれぞれ印加するために前記送信信号（ＵＳＢＴＸＩＰ）に応答するＵＳＢＰドライバ（６）およびＵＳＢＭドライバ（７）と、からなり、
前記送信信号発生器（８）は、それぞれ前記ＵＳＢＴＸＰおよびＵＳＢＴＸＭ入力を受信するための入力とマルチプレクサ出力（１１）とを有するマルチプレクサ手段（１０）を備え、前記マルチプレクサ出力（１１）は、送信信号（ＵＳＢＴＸＩＰ）の開始部を定義するための前記ＵＳＢＴＸＰおよびＵＳＢＴＸＭ入力のうちの一方の信号の挿入端、ならびに前記送信信号（ＵＳＢＴＸＩＰ）の後続する部分を定義するための前記ＵＳＢＴＸＰおよびＵＳＢＴＸＭ入力の他方での信号の対応する挿入停止端に、交互に選択的に応答することを特徴とするユニバーサル・シリアル・バス送信機。
【請求項２】
前記送信信号発生器（８）が、前記ＵＳＢＰ線およびＵＳＢＭ線の一方に前記送信信号（ＵＳＢＴＸＩＰ）を印加するための出力（１５）と、前記送信信号を反転し、前記ＵＳＢＰ線およびＵＳＢＭ線の他方に該反転信号を印加するための反転手段（９）と、を含む請求項１に記載のユニバーサル・シリアル・バス送信機。
【請求項３】
前記送信信号発生器（８）が、前記マルチプレクサ出力（１１）の状態変化に応答するフリップ・フロップ出力（１５）で、前記送信信号（ＵＳＢＴＸＩＰ）を生成するためのフリップ・フロップ手段（１２）と、前記マルチプレクサ手段（１０）に選択信号（１６）を印加するために前記送信信号（ＵＳＢＴＸＩＰ）に応答し、それにより前記マルチプレクサ出力（１１）が、前記ＵＳＢＰおよびＵＳＢＭ入力の一方での信号の前記挿入端、ならびに前記ＵＳＢＰおよびＵＳＢＭ入力の他方での前記信号の対応する挿入停止端に交互に選択的に応答するようになる帰還手段（１６）と、を含む請求項１または２に記載のユニバーサル・シリアル・バス送信機。
【請求項４】
前記送信機によって前記ＵＳＢＰ線およびＵＳＢＭ線の両方に印加される前記各データ信号を挿入停止させるために、前記ＵＳＢＴＸＰおよびＵＳＢＴＸＭ入力の両方での信号の挿入停止に応答するシングル・エンド・オープン検出器（２０）を含む請求項１乃至３のいずれかに記載のユニバーサル・シリアル・バス送信機。
【請求項５】
請求項１乃至４のいずれか１項に記載のユニバーサル・シリアル・バス送信機と、前記ＵＳＢＰ線およびＵＳＢＭ線上から受信した信号に応答するユニバーサル・シリアル・バス受信機とを含む、ユニバーサル・シリアル・バス送受信機。
【発明の詳細な説明】
【技術分野】
【０００１】
本発明は、ユニバーサル・シリアル・バス送信機に関する。
【背景技術】
【０００２】
ユニバーサル・シリアル・バス（「ＵＳＢ」）システムは、高速で双方向性の、アイソクロナスな、低コストの、動的接続可能なシリアル・インタフェースである。本明細書では「ユニバーサル・シリアル・バス送信機」という語句はＵＳＢ標準の詳細な製造および動作許容値を満たしているか否かに関わらず、ユニバーサル・シリアル・バス標準の一般的な機能要件を満たす送信機を意味するものとして用いる。
【０００３】
ＵＳＢ標準は、パーソナル・コンピュータ（「ＰＣ」）または類似のデータ処理装置へ周辺機器を追加する際、電話機を壁面ジャックに接続するように簡単にする外部拡張バスを規定するために開発された。標準は、ｈｔｔｐ：／／ｗｗｗ．ｕｓｂ．ｏｒｇ／ｄｅｖｅｌｏｐｅｒｓ／ｄｏｃｓのサイトでインターネット上に公開されている。標準の推進目標は、使いやすさと低コストであった。これらは外部拡張アーキテクチャによって可能となり、下記を特徴とする。
【０００４】
ＰＣホスト・コントローラのハードウェアおよびソフトウェア、
ロバストなコネクタおよびケーブル・アセンブリ、
周辺機器と親和性のあるマスタ・スレーブ・プロトコル、
マルチポート・ハブにより拡張可能、である。
【０００５】
ＵＳＢはホスト・コンピュータと、同時にアクセス可能な広い範囲の周辺機器との間でのデータ交換をサポートするケーブル・バスである。接続された周辺機器は、ホストによりスケジューリングされるトークン・ベースのプロトコルによってＵＳＢ帯域を共有する。バスはホストおよび他の周辺機器の動作中に、周辺機器の接続、構成、使用、および取り外しを可能とする。これは動的（またはホット）接続および取り外しと呼ばれる。
【０００６】
ユニバーサル・シリアル・バスは、ＵＳＢ装置をＵＳＢホストに接続する。ＵＳＢの物理的相互接続は、層構造のスター型トポロジーである。ハブが各スターの中心にある。それぞれの線区間は、ホストと、ハブまたはファンクション、または他のハブまたはファンクションに接続されたハブとの間の２点間接続である。どのＵＳＢシステム中にもホストは１つだけある。ホスト・コンピュータシステムへのＵＳＢインタフェースは、ホスト・コントローラと呼ばれる。ホスト・コントローラは、ハードウェア、ファームウェア、またはソフトウェアの組合せによって実施することができる。
【０００７】
ＵＳＢは音声、オーディオ、および圧縮映像の実時間データの１２Ｍｂｓまでの転送速度をサポートし、より高速への拡張が計画されている。信号の完全性は、差動ドライバ、レシーバ、およびシールドを使用して強化されている。提供される機能には、制御フィールドおよびデータ・フィールド全体にわたる巡回冗長チェック（「ＣＲＣ」）保護、欠落または破損パケットに対するタイム・アウトを用いた、プロトコルに組み込まれたエラー処理／障害回復機構、プロトコルにおける自己回復、および故障装置の識別のサポートが含まれる。標準によって２つの動作モードが提供されている。すなわち、１０〜１００Ｋｂ／ｓの対話型装置用の低速度、および電話、オーディオ、圧縮映像用の５００Ｋｂ／ｓ〜１２Ｍｂ／ｓの中速度である。
【０００８】
１つ以上の接続点を提供するために、ホストシステム内にルート・ハブが組み込まれる。ＵＳＢは、添付図面の図１に概略的に示す４芯のケーブルで信号と電力を転送する。信号伝達は２つの線Ｄ＋およびＤ−上で、２点間の区間で発生する。各区間上の信号は、特性インピーダンスが９０Ωのケーブル中へ差動で駆動される。差動レシーバは、少なくとも２００ｍＶの入力感度と、十分な同相分除去という特徴を有する。クロックは、差動データと共にコード化されて送信される。クロックのコード化方式は、適切な遷移を確保するためのビット挿入を有するＮＲＺＩである。各パケットにはレシーバがそれらのビット回復クロックに同期できるように、ＳＹＮＣフィールドが先行する。ケーブルはまた装置に電力を供給するために、各区間でＶＢｕｓ線およびＧＮＤ線を備える。
【０００９】
ＵＳＢはＵＳＢケーブルへＵＳＢデータ信号を駆動するために、差動出力ドライバを用いる。ドライバの静的な出力振幅は、ロー状態では３．６Ｖへの１．５ＫΩ負荷に対してＶＯＬが０．３Ｖ未満でなければならず、ハイ状態ではグラウンドへの１５ＫΩ負荷に対してＶＯＨが２．８Ｖより大でなければならない。差動のハイ状態とロー状態の間の出力振幅は、信号スキューを最小にするために、良くバランスがとれていなければならない。放射ノイズおよびクロストークを最小にするために、ドライバの処理速度の制御が必要である。ドライバの出力は、半二重双方向動作を得るために３ステート動作をサポートしなければならない。ホット挿入されつつある、あるいは接続されているが電源が切られている下流側の装置からポートを隔離するために、高インピーダンスも必要である。
【００１０】
米国特許明細書第５，９１２，５６９号には、クロスオーバ・レベルを補正するために、一方の出力信号が他方に対して遅延される送信機が開示されている。
【特許文献１】米国特許明細書第５，９１２，５６９号
【発明の開示】
【発明が解決しようとする課題】
【００１１】
「ＵＳＢＰ」および「ＵＳＢＭ」と呼ばれる２つの信号線上を送信される信号は同期している必要があり、一方の信号の立ち下がりが他方の信号の立ち上がりと一致していることが重要で、特にクロスオーバ・レベルすなわち２つの信号線上の信号の値が同じになる電圧の制御、およびジッタすなわち連続する信号に対するクロスオーバ点が生じる時間の変動の制御が重要である。
【発明を解決するための手段】
【００１２】
本発明は、添付の特許請求の範囲に記載のユニバーサル・シリアル・バス送信機およびシステムを提供する。
図２は、周知のＵＳＢ送信機を示す。データは、入力ＵＳＢＴＸＰおよびＵＳＢＴＸＭに供給される。ＵＳＢＰドライバ１は、その入力にＵＳＢＴＸＰ信号を直接受け取り、ＵＳＢケーブルのＤ＋線に整形され増幅された信号を供給するＵＳＢＰ出力を有する。ＵＳＢＭドライバ２は、その入力にＵＳＢＴＸＰをインバータ３によって反転した後に受け取り、ＵＳＢケーブルのＤ−線に整形され増幅された信号をインバータを介して供給するＵＳＢＭ出力を有する。
【００１３】
動作時においては、ＵＳＢＰおよびＵＳＢＭ出力からの差動信号は、Ｄ＋線およびＤ−線上に送信される。パケット内のデータ送信は、差動信号によって得られる。ＵＳＢ規格のプロトコルは、システム中の差動データの通信に用いられる２つの論理レベルであるデータ状態ＪおよびＫを規定している。パケット開始（ＳＯＰ）は、Ｄ＋線およびＤ−線をアイドル状態から反対の論理レベル（Ｋ状態）に駆動することにより、起点のポートによって示される。このレベルの切り換えは、ＳＹＮＣフィールドの最初のビットを表す。パケット終了（ＥＯＰ）を示すためには、Ｄ＋線およびＤ−線の両方がアサート停止（ローに駆動）される、シングル・エンド・オープン（「ＳＥＯ」）状態が用いられる。
【００１４】
図３に、入力ＵＳＢＴＸＰおよびＵＳＢＴＸＭ、ならびに出力ＵＳＢＰおよびＵＳＢＭの信号波形を示す。この例では、ＵＳＢプロトコルにおけるフレーム終了に対応するシングル・エンド・ゼロを検出し、対応するＵＳＢ  ＳＥ０信号を、ＵＳＢＴＸＰとＵＳＢＴＸＭの両方を同時に挿入停止状態に設定することによって発生するのに、入力ＵＳＢＴＸＭのみが用いられている。
【００１５】
ＵＳＢ標準には、ジッタ許容値に対する規格が含まれる（例えばクロック・ジッタに関してはセクション５．１０．３、およびデータ・ジッタに関してはセクション７．１．１３を参照されたい）。入力信号、およびその補数！ＵＳＢＴＸＰ（ならびにＵＳＢＴＸＭ）は、５０％から大幅に異なるデューティ・サイクルになり易いことがわかる。この場合、図３に示すように、図２の送信機からのＵＳＢＰおよびＵＳＢＭ信号の連続する遷移間の時間、言い換えれば連続するクロスオーバ点の間の時間は、受容できないジッタを受け易い。すなわち１つのパルスＪと次のパルスＪの間、あるいは１つのパルスＫと次のパルスＫの間にこのような受容できないジッタがない場合でも、パルスＪの幅は次のパルスＫの幅から受容できないほど異なっている。
【００１６】
図４は別の周知のＵＳＢ送信機を示している。やはりデータは入力ＵＳＢＴＸＰおよびＵＳＢＴＸＭに供給される。ＵＳＢＰドライバ４は、その入力にＵＳＢＴＸＰ信号を直接受け取り、ＵＳＢケーブルのＤ＋線に整形され増幅された信号を供給するＵＳＢＰ出力を有する。ＵＳＢＭドライバ５は、その入力にＵＳＢＴＸＭ信号を直接受け取り、ＵＳＢケーブルのＤ−線に整形され増幅された信号を供給するＵＳＢＭ出力を有する。
【００１７】
動作時においては、ＵＳＢＰおよびＵＳＢＭ出力からの差動信号は、やはりＤ＋線およびＤ−線上に送信される。図５に入力ＵＳＢＴＸＰおよびＵＳＢＴＸＭの信号、出力ＵＳＢＰおよびＵＳＢＭの信号、およびシングル・エンド・ゼロ信号ＵＳＢ  ＳＥ０を示す。
【００１８】
ＵＳＢ標準には、クロスオーバ点の電圧レベルの許容値に対する規格が含まれる（例えばセクション７．１．２を参照されたい）。この場合も、入力信号ＵＳＢＴＸＰおよびＵＳＢＴＸＭは、５０％から大幅に異なるデューティ・サイクルになり易い。この場合図５に示されるように、図４の送信機からのＵＳＢＰ信号とＵＳＢＭ信号の対応する遷移が同じになる電圧レベル、言い換えればクロスオーバ点の電圧レベルは、ＵＳＢＰ信号とＵＳＢＭ信号の電圧振幅の５０％を中心とするＵＳＢ許容値の範囲を大幅に超え易い。
【発明を実施するための最良の形態】
【００１９】
本発明の１実施形態によるＵＳＢ送信機を、図６に示す。データはやはり入力ＵＳＢＴＸＰおよびＵＳＢＴＸＭに供給される。ＵＳＢＰドライバ６は、その入力にデータ信号を間接的に受け取り、ＵＳＢケーブルのＤ＋線に整形され増幅された信号を供給するＵＳＢＰ出力を有する。ＵＳＢＭドライバ７は、その入力にデータ信号を間接的に受け取り、ＵＳＢケーブルのＤ−線に整形され増幅された信号を供給するＵＳＢＭ出力を有する。本発明のこの実施形態では、ドライバ６および７は、入力信号発生器８を介してデータ信号を受け取る。信号発生器８は、ドライバ６および７に供給される信号の前縁を定義するために、ＵＳＢＴＸＰおよびＵＳＢＴＸＭ入力の一方での信号のアサート・エッジに応答し、ドライバ６および７に供給される信号の後続する後縁を定義するために、ＵＳＢＴＸＰおよびＵＳＢＴＸＭ入力の他方での信号の対応するアサート停止エッジに応答する。信号発生器８からの信号は、ドライバ６および７の一方には直接供給され、ドライバ６および７の他方にはインバータ９を介して供給される。
【００２０】
より具体的には図６に示される送信機では、信号発生器８は、ドライバ６および７に供給される信号ＵＳＢＴＸＩＰの立ち上がりを定義するためにＵＳＢＴＸＰ入力での信号の立ち上がりに応答し、ドライバ６および７に供給される信号の後続する立ち下がりを定義するためにＵＳＢＴＸＭ入力での信号の対応する立ち上がりに応答する。入力信号ＵＳＢＴＸＰおよびＵＳＢＴＸＭ、ならびに出力信号ＵＳＢＰおよびＵＳＢＭは差動信号対であり、したがって対の一方の信号の立ち上がりによるアサートは、対の他方の信号のアサート停止に対応することを理解されたい。信号ＵＳＢＴＸＩＰは、ＵＳＢＰドライバ６には直接供給され、ＵＳＢＭドライバにはインバータ９を介して供給され、したがってドライバ６とドライバ７の出力からＤ＋線とＤ−線に供給される信号ＵＳＢＰと信号ＵＳＢＭは、相補対となる。
【００２１】
動作時においては、ＵＳＢＰおよびＵＳＢＭ出力からの差動信号は、やはりＤ＋線およびＤ−線上に送信される。図７に入力ＵＳＢＴＸＰおよびＵＳＢＴＸＭでの信号、出力ＵＳＢＰおよびＵＳＢＭでの信号、シングル・エンド・ゼロ信号ＵＳＢ  ＳＥ０、ならびにドライバ６およびドライバ７に供給されるＵＳＢＴＸＩＰ信号の波形を示す。
【００２２】
信号ＵＳＢＰおよびＵＳＢＭのアサート・エッジは常に入力信号ＵＳＢＴＸＰおよびＵＳＢＴＸＭのアサート・エッジによって得られ、信号ＵＳＢＰおよびＵＳＢＭのアサート停止エッジは常に入力信号ＵＳＢＴＸＰおよびＵＳＢＴＸＭのアサート停止エッジによって得られるので、入力信号ＵＳＢＴＸＰおよびＵＳＢＴＸＭのデューティ・サイクルが５０％から大幅に異なる場合でも、連続するクロスオーバ点の受容できないジッタは生じない。また、信号ＵＳＢＰおよびＵＳＢＭは相補的であるので、入力信号ＵＳＢＴＸＰおよびＵＳＢＴＸＭのデューティ・サイクルが５０％から大幅に異なる場合でも、それによってクロスオーバ点の電圧レベルが、ＵＳＢＰ信号とＵＳＢＭ信号の電圧振幅の５０％を中心とするＵＳＢ許容値の範囲を超えることはない。
【００２３】
図６のＵＳＢ送信機は、入力信号発生器８に加えて、信号ＵＳＢＰおよびＵＳＢＭが同時にアサート停止されたときにその出力がアサートされるＳＥＯ検出器２０、入力信号発生器８とＵＳＢＰドライバ６の間に挿入されたＡＮＤ回路２１、およびインバータ９とＵＳＢＭドライバ７の間に挿入されたＡＮＤ回路２２を含む。ＡＮＤ回路２１および２２はそれらの他方の入力に、ＳＥＯ検出器２０の出力を反転したものを受け取る。動作時においてはＳＥＯが検出されたとき、ＡＮＤ回路２１および２２は入力信号発生器８によるドライバ６および７の制御を無効化し、ＵＳＢＰ線およびＵＳＢＭ線の両方をアサート停止する。
【００２４】
入力信号発生器６の実施形態をより詳しく、図８に示す。図８に示される発生器は、入力信号ＵＳＢＴＸＰおよびＵＳＢＴＸＭをその「０」入力および「１」入力にそれぞれ受け取るように接続されたマルチプレクサ１０を含む。マルチプレクサ１０はリセット可能なフリップ・フロップ１２のデータ入力に接続された出力１１を有し、フリップ・フロップ１２は、コネクタ１５上に信号ＵＳＢＴＸＩＰを供給するための「Ｑ」出力と、フリップ・フロップ１２の「Ｄ」入力に帰還する形で接続された負の「Ｑｎ」出力とを有する。
【００２５】
マルチプレクサ１０の単一の出力１１の値は、選択入力１６上への信号ＵＳＢＴＸＩＰの帰還によって選択されるのに従って信号ＵＳＢＴＸＰまたはＵＳＢＴＸＭの一方の立ち上がりにより設定される。より具体的には、最初にＵＳＢＴＸＩＰがハイである場合は、マルチプレクサ１０はＵＳＢＴＸＭ信号を選択し、ＵＳＢＴＸＭが信号１１へ送られる。すなわち信号１１は、信号ＵＳＢＴＸＭの立ち上がりに応答して状態を変える。フリップ・フロップ１２は、（信号ＵＳＢＴＸＭの立ち上がりによって発生される）信号１１の立ち上がりを待つ。信号１１が立ち上がると、フリップ・フロップのＱｂに接続されたＤデータが０であるので、フリップ・フロップ１２のＱ出力は０にセットされる。ここでＵＳＢＴＸＩＰはローであり、マルチプレクサはＵＳＢＴＸＰ信号を選択し、ＵＳＢＴＸＰが信号１１へ送られる。ここでフリップ・フロップ１２は、信号ＵＳＢＴＸＰの立ち上がりに対応する信号１１の立ち下がりを待つ。
【００２６】
ＮＡＮＤゲート１３は、送信機からの送信が禁止されるときトランスミット・イネーブル・バー信号ＴＥＢを受け取り、ＵＳＢ標準のフル・スピード・プロトコルが使用されるときフル・スピード・イネーブル信号ＦＳ＿ＥＮを受け取るように接続される。ＮＡＮＤゲート１３の出力は、フリップ・フロップ１２のセット入力Ｓｅｔｂに接続される。ＮＡＮＤゲート１４は、送信機からの送信が禁止されるときトランスミット・イネーブル・バー信号ＴＥＢを受け取り、ＵＳＢ標準のスロー・スピード・プロトコルが使用されるときフル・スピード・イネーブル・バー信号ＦＳ＿ＥＮｂを受け取るように接続される。ＮＡＮＤゲート１４の出力は、フリップ・フロップ１２のリセット入力Ｒｓｔｂに接続される。使用時には送信機は、信号ＴＥＢ、ＦＳ＿ＥＮ、およびＦＳ＿ＥＮｂを供給するプロセッサも含むホスト・ノードの一部を形成する。
【００２７】
動作時においては、送信の前にプロセッサは、Ｄ＋線（フル・スピード）またはＤ−線（スロー・スピード）上の遠隔のレシーバでのプルアップ抵抗に対応する電圧に応答して、信号ＴＥＢと、信号ＦＳ＿ＥＮおよびＦＳ＿ＥＮｂの一方をアサートする。各ＮＡＮＤゲートは、フル・スピード・プロトコルが必要な場合はＤ＋上を状態「１」、Ｄ−上を状態「０」とするように、スロー・スピード・プロトコルが必要な場合はＤ＋上を状態「０」、Ｄ−上を状態「１」とするように、フリップ・フロップ１２を初期化することによって応答する。フリップ・フロップ１２のこの状態は最初、送信を可能にするようにトランスミット・イネーブル・バー信号ＴＥＢがアサート停止されるとき、Ｑｎ出力からＤ入力への帰還によって保持される。
【００２８】
次に入力ＵＳＢＴＸＰおよびＵＳＢＴＸＭの一方でデータ信号がアサートされるとき、フリップ・フロップ１２が既に対応する状態にある場合は、その状態の変化は生じない。入力ＵＳＢＴＸＰおよびＵＳＢＴＸＭの他方でデータ信号がアサートされたときだけ、フリップ・フロップ１２が状態を変化させる。この動作モードは、フリップ・フロップ１２が意図しないシングル・エンド・ゼロ状態（Ｄ＋＝Ｄ−＝０）を回避し、ＳＥＯ状態（Ｄ＋＝Ｄ−＝０）が強制される場合を除き、Ｊ状態（Ｄ＋＝１，Ｄ−＝０）かＫ状態（Ｄ＋＝０，Ｄ−＝１）のどちらかに駆動することを確実にしていることを理解されたい。
【００２９】
本発明によるＵＳＢホスト・ノードの実施形態を、図９に示す。ホスト・ノードは、信号プロセッサ１９と共に、ドライバ６、７、およびＡＮＤ回路２１、２２からなる送信モジュールを２３として示した図６の送信機と、ケーブルのＤ＋線およびＤ−線からの信号を受け取るためのレシーバ・モジュール１８とを含むトランシーバ１７を備える。プロセッサ１９は、送信機の入力信号発生器８に信号ＵＳＢＴＸＰおよびＵＳＢＴＸＭを供給し、図８に示す送信機の場合はまた信号ＴＥＢ、ＦＳ＿ＥＮ、およびＦＳ＿ＥＮｂを供給する。
【図面の簡単な説明】
【００３０】
【図１】ＵＳＢシステムで使用されるケーブルの概略図。
【図２】従来のＵＳＢ送信機のブロック概略図。
【図３】従来のＵＳＢ送信機の出力信号の波形ダイアグラム。
【図４】他の従来のＵＳＢ送信機のブロック概略図。
【図５】従来の送信機の出力信号の波形ダイアグラム。
【図６】本発明の実施例によるＵＳＢ送信機のブロック概略図。
【図７】本発明の実施例による送信機の出力信号の波形ダイアグラムの一例。
【図８】本発明の実施例によるＵＳＢ送信機の詳細なブロック概略図。
【図９】本発明の実施例によるＵＳＢホスト送受信機のブロック概略図の一例。
【図１】
2007538303.tif 000003
【図２】
2007538303.tif 000004
【図３】
2007538303.tif 000005
【図４】
2007538303.tif 000006
【図５】
2007538303.tif 000007
【図６】
2007538303.tif 000008
【図７】
2007538303.tif 000009
【図８】
2007538303.tif 000010
【図９】
2007538303.tif 000011
【国際調査報告】
2007538303.tif 000012
2007538303.tif 000013